(57)【特許請求の範囲】
【請求項１】
少なくとも１つのセンサと、部材の挟み込み状態を識別する監視装置とを有し、前記センサのセンサ信号からは測定値処理回路によって調整駆動部により動かされる部材の位置と、この位置に関連する調整駆動部の回転数データ（１２）と、位置に関連する調整駆動部の給電電圧（１３）とが求められる、電子制御式調整駆動部監視装置において、
位置に関連する回転数データ（１２）が第１の限界値（１６）を上回り、位置に関連する計算値（１５）の相対的な変化が第２の固定限界値（１７）を上回っている場合に、部材（１１）の挟み込み状態が識別され、前記第１の限界値（１６）は調整駆動部（１０）の初期の調整駆動における位置に関連する回転数データ（１２）から許容偏差帯域を伴って形成され、前記計算値（１５）は、位置に関連する回転数（１２）又は位置に関連する給電電圧（１３）の１次導関数又は２次導関数の先行値を積算することにより求められることを特徴とする、電子制御式調整駆動部監視装置。
【請求項２】
前記計算値（１５）は、調整駆動部（１０）の位置に関連する回転数データ（１２）の一次導関数又は二次導関数の先行値と、位置に関連する給電電圧データ（１３）に依存する基準係数から求められる、請求項１記載の電子制御式調整駆動部監視装置。
【請求項３】
前記計算値（１５）は、調整駆動部（１０）の位置に関連する回転数データ（１２）と給電電圧データ（１３）の一次導関数又は二次導関数の経過から求められる、請求項１記載の電子制御式調整駆動部監視装置。
【請求項４】
前記計算値（１５）の初期値として、調整駆動部（１０）の初期の調整駆動からの計算値（１５）が用いられる、請求項１〜３いずれか１項記載の電子制御式調整駆動部監視装置。
【請求項５】
前記装置は電動サンルーフの調整駆動部（１０）に用いられる、請求項１〜４いずれか１項記載の電子制御式調整駆動部監視装置。
【請求項６】
前記装置はパワーウインドウの調整駆動部（１０）に用いられる、請求項１〜４いずれか１項記載の電子制御式調整駆動部監視装置。
【発明の詳細な説明】
【０００１】
【発明の属する技術分野】
本発明は、少なくとも１つのセンサと、部材の挟み込み状態を識別する監視装置とを有し、前記センサのセンサ信号からは測定値処理回路によって調整駆動部により動かされる部材の位置と、この位置に関連する調整駆動部の回転数データと、調整駆動部の給電電圧とが求められる、電子制御式調整駆動部監視装置に関する。
【０００２】
【従来の技術】
欧州特許出願公開第０４２２３８８号明細書からは自動車用の電動式閉鎖部材のスイッチング装置が公知である。この装置では回転トルクの一次導関数の経過及び特性の履歴観察が行われている。それにより、スティック・スリップ作用によって引き起こされる回転トルク変化による閉鎖部材の挟み込みが区別可能となる。搭載電源電圧の変動は、回転数/トルク−特性マップが作動電圧に依存して限界値形成に用いられる限りは考慮される。
【０００３】
ドイツ連邦共和国特許出願公開第３１１１７１１号公報からは、例えば自動車のオートクロージングドア又はパワーウインドウ用の挟み込み防止装置が公知である。この場合は、先行する開閉経過中の所定の位置において求められた時間間隔が、目下の経過において同じようにして検出された時間間隔と比較される。特に目立った偏差がある場合には、挟み込み状態の発生に結び付けられる。しかしながら給電電圧の変動に基づく時間間隔の変化はこの場合特に区別されて検出されていない。
【０００４】
【発明が解決しようとする課題】
本発明の課題は、給電電圧と負荷に起因する回転数の変化によって発生する誤った閉鎖応力限界状態のトリガの確率を低減することである。
【０００５】
【課題を解決するための手段】
上記課題は本発明により、位置に関連する回転数データが第１の限界値を上回り、位置に関連する計算値が第２の限界値から偏差している場合に、部材の挟み込み状態が識別され、前記第１の限界値は調整駆動部の初期の経過における位置に関連する回転数データから許容偏差帯域を伴って形成され、前記計算値は、調整駆動部の少なくとも１つの測定パラメータの第１導関数及び（又は）第２導関数の経過から求められるように構成されて解決される。
【０００６】
本発明による電子制御式調整駆動部監視装置は、特に給電電圧の変動と種々の機械的な負荷経過に基づいた閉鎖応力限界状態の誤ったトリガが低減される利点を有する。調整駆動部の給電電圧と回転数との間の一連のパラメータにおける関数関係の直接の考慮には高いメモリ容量が必要とされる。本発明による有利な実施例では、挟み込み状態の検出に対して、給電電圧における２つの判定基準の同時充足が条件づけられる。絶対的測定値に基づく評価ストラテジと、相対的測定値に基づく評価ストラテジの組合せによって、絶対的測定に基づく評価ストラテジの長所を用いることが可能となる。この長所とは、調整駆動部の予測される負荷経過を複雑な測定値処理なしで予見し、閉鎖応力限界に対する限界値がこの予見された負荷経過に基づくことである。これによって特に始動過程中の回転数変化が誤った閉鎖応力限界状態のトリガを引き起すことはもはやなくなる。
【０００７】
本発明の有利な実施例によれば、給電電圧に依存する基準系数が相対的測定値に基づく評価ストラテジのもとで回転数に対する給電電圧の影響を考慮する。このことは別の有利な実施例においても次のようにして達成される。すなわち給電電圧の変化がごく僅かなのに、絶対的測定値に基づく評価ストラテジによって負荷による典型的な回転数低下が検出された場合にのみ挟み込み状態保護が応動されるようにして達成される。給電電圧の変動が大きい場合の回転数変動は挟み込み保護のトリガには結び付けられない。
【０００８】
本発明による装置の別の有利な実施例によれば、先行する負荷経過が考慮され、この場合初期の経過の計算値が目下の経過に対する初期値として用いられる。
【０００９】
また本発明による別の有利な実施例によれば、２つの評価ストラテジの組合せによってそのつどの特有の利点が統合される。この場合は回転数の負荷への依存性だけではなく供給電圧への依存性も考慮される。
【００１０】
本発明による電子制御式調整駆動部監視装置は、有利にはパワーウインドウや電動サンルーフに適用される。
【００１１】
本発明の別の有利な実施例は従属請求項に記載される。
【００１２】
【発明の実施の形態】
次に本発明を図面に基づき詳細に説明する。
【００１３】
調整駆動部１０は、部材１１を動かす。測定値処理回路１４は、位置に関連する調整駆動部１０の回転数データ１２と、部材１１の位置データ１９と、給電電圧データ１３を受け取る。測定値処理回路１４によって算出された計算値１５は第２の限界値１７と比較され、位置に関連する回転数データ１２は第１の限界値１６と比較される。これらの２つの限界値１６,１７を上回った場合には、電子制御回路１８は部材１１の挟み込み状態を受け入れて、調整駆動部１０の停止又は後退を行わせる。
【００１４】
次に図面に示されている装置の動作を説明する。
【００１５】
部材１１の位置検出に対しては増分距離信号が用いられる。カウンタは、この増分距離信号と調整駆動部１０の回転方向に依存して増分又は減分される。増分距離信号は例えばホールセンサ装置によって形成される。ホールセンサ装置の２進出力信号の状態は、調整駆動部１０のマグネットリングの極性が変化した場合に変化する。二極性のマグネットリングにおいて、センサ信号の信号エッジの切換は常に同じ２つのマグネットリング位置において生じる（例えば０゜と１８０゜）。それにより部材１１の位置１９は正確に１８０゜に定めることが可能である。
【００１６】
位置１９（Ｘ0）におけるホールセンサ信号のエッジ切換は、調整駆動部１０の位置に関連する回転数データ１２を得るために時限素子がスタートされた時点を表す。位置Ｘ1における所定の数のエッジ切換の後で、時限素子は停止される。このエッジ切換数は有利には全ての開放過程と閉鎖過程に対して一定に維持される。それにより等間隔の基準位置Ｘ0,Ｘ1,Ｘ2,………Ｘnが得られる。位置Ｘ0とＸ1との間の求められた持続時間ｔ1は、相関的な、位置に関連する回転数データｎ1である。同じように時間間隔ｔ2ないしｔnからも回転数ｎ2ないしｎnが算出される。これはマグネットリングが位置Ｘ1ないしＸn-1から位置Ｘ2ないしＸnに到達するために必要なものである。
【００１７】
挟み込み保護に対する評価ストラテジの位置基準に基づいて有利には、給電電圧１３が位置に基づいて検出される。例えば位置Ｘ0,Ｘ1,Ｘ2,………Ｘnにおいて自動車のバッテリ電圧が測定されることにより、相対的評価ストラテジに対する電圧データとしてＵ0,Ｕ1,………Ｕnが得られる。
【００１８】
本発明による装置は２つの判定基準が組み合わされる。これらは２つとも満たされなければならないものであり、それによって対向措置（例えば調整駆動部１０の後退又は停止など）が講じられる。これらの判定基準は、位置に関係している。つまり位置Ｘ0,Ｘ1,Ｘ2,………Ｘn毎に前記２つの判定基準の新たな検査が行われることを意味する。
【００１９】
部材１１の挟み込みを監視するために、本発明による装置の全ての構成に対する前提として、判定基準１が与えられる。この場合位置に関連する回転数データ１２（ｎ1,ｎ2,………ｎn）が第１の限界値１６を上回っているかどうかの検査が常に行われる。第１の限界値１６は、位置に関連して、初期経過での回転数１２（ ｎ1,ｎ2,………ｎn）から形成される。この初期経過とは例えば、挟み込みの存在しなかった先行する経過であってもよいし、初期の基準経過であってもよい。初期経過における位置に関連する回転数データ１２は、固定の許容帯域に関連付けられる。例えばこれは本実施例では位置に関連する回転数データ１２の２０％までの変動の許容である。これによって、位置に関連する第１の限界値１６（ｇ1,ｇ2,………ｇn）が得られる。ｎ個の全ての位置に対しては、目下の経過における位置に関連する回転数データｎnと第１の限界値ｇnとの検査が行われる。例えばある位置ｎに対して次の条件
ｎn＜ｇn
が満たされているならば、すなわち位置ｎにおける、位置に関連する目下の回転数データ１２（ｎn）が、先行経過における同じ位置ｎでの回転数を例えば２０％だけ下回っているだけならば、挟み込み状態の識別に対する判定基準１が満たされる。これにより次のようなことが保障される。すなわち許容範囲を超えない限りは、位置に依存する様々な負荷経過（これは回転数変動を引き起こす）が、挟み込み保護のトリガを引き起こすようなことがなくなる。それにより判定基準１は、そのレベルが給電電圧１３に依存している絶対的測定値に基づくものとなる。
【００２０】
それに対して判定基準２は、算出される計算値１５に相対的な、位置に関連する回転数データ１２又は給電電圧１３の変化に基づけられる。本発明による装置の有利な実施例における算出される計算値１５は、位置に関連する回転数データ１２の一次導関数及び/又は二次導関数の経過から求められる。この導出は位置に従って行われる。連続した回転数関数は得られないので、アルゴリズムによる導関数の算出が必要である（例えば微分関数等）。例えば簡単な後退形−微分関数が用いられるならば、位置ｎにおける、位置に関連する回転数データ１２の一次導関数の値は次のように算出される。
【００２１】
ｄｎ/ｄｘ（ｄｎn）＝（ｎn−ｎn-1）/（Ｘn−Ｘn-1）
この場合等間隔な位置のために全ての回転数データ１２に対する分母は同じ値を取り、そのためもはや別個に観察されない。二次導関数に対しても同じアルゴリズムに基づくならば、位置ｎにおける、位置に関連する回転数データ１２の導関数は以下のように算出される。
【００２２】
（ｄ2ｎn）＝（ｎn−２ｎn-1＋ｎn-2）/（Ｘn−Ｘn-1）
一次導関数は、目下の回転数１２（ｎn）が先行の値（ｎn-1）よりもどのくらい変化したかを表す。
【００２３】
本発明による装置の構成に従って算出された計算値１５は、基本的に次のような状態におかれる。すなわち、各位置毎の回転数の一次導関数の位置に関連するデータ１２が先行する値に常に加算される状態におかれる。つまり計算値１５は初期状態に関する回転数偏差を含むことになる。各位置ｎ毎に、そのように算出された回転数偏差が全ての位置に対する固定の第２の限界値１７を上回ったか否かが検査される。先行する経過の最後に計算値１５が初期値として基づけられるならば、それに伴ってシステムの先行経過も考慮される。
【００２４】
目下の測定値を初期のものよりも多く重み付けするために有利には、回転数変化の発生がない場合に、計算値１５が低減される。というのは比較的安定した回転数１２のもとでは挟み込みに結び付くことは実際にはあり得ないので、大幅な回転数の低下があって初めて挟み込みが示唆される。このストラテジによって給電電圧１３の減少の際の誤ったトリガの確率が低減される。回転数の二次導関数の位置に関連するデータ１２も一次導関数と同じように、計算値１５において付加的に考慮される。それにより比較的大きな回転数低下が現れた時に回転数低下の大幅な重み付けが行われる。突然の回転数変化はこの場合一定の回転数変化よりも多く重み付けされる。導関数の種類に関する重み付け係数は、そのつどの負荷経過に対してフレキシブルな適合を許容する。別の有利な構成例では、給電電圧に依存して、計算値１５に作用する基準系数が用いられる。
【００２５】
さらに別の実施例における計算値１５は給電電圧１３の経過の一次導関数及び/又は二次導関数に拠る。この場合回転数１２に対して説明した手法と同じように、給電電圧１３の導関数に対する位置に関連するデータが算出される。位置に関連する電圧変化も加算されて計算値１５に加味される。この計算値１５は各位置毎に、前述のものとは異なって選択された第２の限界値１７と比較され、電圧変動がこの第２の限界値１７の下回りに結び付かないかどうかが検査される。結び付かない場合には、判定基準２が満たされる。それにより給電電圧の変化が回転数低下を引き起こさないことが保障される。判定基準２の他にも判定基準１が満たされれば、挟み込み保護が応動される。
【００２６】
請求項５による回転数１２と給電電圧１３の導関数の利用によって、挟み込み保護のトリガに対するストラテジがさらに詳細化される。
【００２７】
電子制御装置１８が部材１１の挟み込み状態を識別し、調整駆動部に停止又は後退信号を送出するためには、判定基準１と２が満たされなければならない。
【００２８】
電子制御式調整駆動部の監視のための本発明による装置は有利には自動車のパワーウインドウ又は電動サンルーフの電動式調整駆動部に用いられる。
【図面の簡単な説明】
【図１】本発明による実施例を示した図である。
【符号の説明】
１０      調整駆動部
１１      部材
１２      回転数データ
１３      給電電圧データ
１４      測定値処理回路
１５      計算値
１６      第１の限界値
１７      第２の限界値
１８      電子制御装置
１９      位置データ
【図１】
0004225591.tif 000002